(57)【要約】第１の面と、第２の面と、これらの面の間を貫通しこれらの面に対して傾斜する縦軸を有する孔と、を有する曲面レンズに、部品を取り付けるために使用する固定具。この固定具は、レンズの第２の面に係合するように構成されるレンズ面係合部を有する留め具と、第２の面で孔に進入する部品係合部と、を備え、また留め具の部品係合部に係合するように構成される留め具係合部を部品に更に備える。部品と曲面レンズとを組み付けるときに、第２の面に沿った向きがレンズ面係合部に与えられるように、上記の全ての係合部が設計される。本発明は更に、この固定具と、関連部品と、留め具と、を備える眼鏡組立体に関する。
2006509236.tif 000002
【特許請求の範囲】
【請求項１】
第１の面と、第２の面と、前記第１の面及び前記第２の面の間を貫通し且つ前記第１の面及び前記第２の面に対して傾斜する縦軸を有する孔と、を有する曲面レンズに対して用いられる固定装置であって、前記固定装置は、前記レンズの前記第１の面において前記レンズに部品を取り付けるための固定装置であり、前記固定装置は、前記レンズの前記第２の面に係合するように構成されるレンズ面係合部と、前記第２の面で前記孔に進入する部品係合部と、を有する固定具を備え、前記固定装置は、前記固定具の前記部品係合部に係合するように構成される固定具係合部を更に前記部品内に備え、前記部品と前記曲面レンズとを組み付けるときに前記レンズ面係合部が前記レンズの前記第２の面に沿った向きを与えられるよう、前記レンズ面係合部と、前記部品係合部と、前記固定具係合部と、が設計される、固定装置。
【請求項２】
前記固定具が、縦軸を有する頭部と胴体部とを有し、前記胴体部が、前記部品係合部を構成する請求項１に記載の固定装置。
【請求項３】
前記頭部が、前記レンズ面係合部を構成する底面を有する請求項２に記載の固定装置。
【請求項４】
前記固定具の前記胴体部が、前記レンズの前記孔と同軸であり、前記固定具の前記頭部の前記底面が、前記レンズと前記部品とを組み付けるときに前記レンズの前記第２の面に沿った向きを与えられるよう、前記胴体部の前記縦軸に対して傾斜する請求項３に記載の固定装置。
【請求項５】
前記固定具が、レンズ面係合面を構成する下面と、前記頭部に係合するように構成される上面と、を有するレンズ面係合部材を備え、前記部材は、前記レンズの前記孔と同軸の貫通孔を有する請求項２に記載の固定装置。
【請求項６】
前記下面が、前記レンズと前記部品とを組み付けるときに前記レンズの前記第２の面に沿った向きを与えられるよう、前記胴体部の前記縦軸に対して傾斜する請求項５に記載の固定装置。
【請求項７】
前記レンズ面係合部材が、前記レンズに対しての位置を固定することを容易にする手段を備える請求項５に記載の固定装置。
【請求項８】
前記手段が、突起の形態であり、前記部品が、Ｌ字状であり、前記固定具係合部を具備する棚部と、前記レンズの端部を支持する脚部と、を有し、前記手段は、前記脚部に着接する請求項７に記載の固定装置。
【請求項９】
前記手段が、前記レンズに着接する突起の形態である請求項７に記載の固定装置。
【請求項１０】
前記レンズ面係合部材は、前記貫通孔の周りに形成される凹部をその上面に有するとともに、前記固定具の前記頭部に着接する肩部を前記孔を囲む前記凹部内に有する請求項５に記載の固定装置。
【請求項１１】
前記胴体部の前記縦軸が前記孔の前記縦軸に平行となるよう、前記肩部が設計される請求項１０に記載の固定装置。
【請求項１２】
前記凹部が、前記固定具の前記頭部の高さより深い深さを有する請求項１０に記載の固定装置。
【請求項１３】
前記部品係合部が、前記レンズの前記第２の面に垂直な前記縦軸を有する請求項１に記載の固定装置。
【請求項１４】
前記部品係合部が、前記孔の前記縦軸に平行な縦軸を有する請求項１に記載の固定装置。
【請求項１５】
前記部品が、前記孔内で受けられるプラグを具備し、前記プラグは、縦軸を有する前記固定具係合部を構成する空洞部を具備する請求項１に記載の固定装置。
【請求項１６】
前記縦軸が、前記第２の面に対して傾斜する請求項１５に記載の固定装置。
【請求項１７】
前記固定具の前記部品係合部が、それぞれ雄雌の構成で、前記部品の前記固定具係合部に接続する請求項１に記載の固定装置。
【請求項１８】
前記固定具の前記部品係合部が、それぞれ雌雄の構成で、前記部品の前記固定具係合部に接続する請求項１に記載の固定装置。
【請求項１９】
前記部品の前記固定具係合部が前記固定具の前記部品係合部に係合するときに、前記孔と着接してその完全な接触を確保する球状部を有するレンズ着接面を、前記部品が備える請求項１に記載の固定装置。
【請求項２０】
前記球状部が、前記部品の非一体の部分である請求項１９に記載の固定装置。
【請求項２１】
前記部品が棚部を有し、前記棚部は湾曲し前記レンズの前記第１の面に対応する請求項１に記載の固定装置。
【請求項２２】
前記レンズが端部を有し、前記部品が、Ｌ字状で、前記固定具係合部を具備する棚部と、レンズ端部着接部を有する脚部と、を有する請求項１に記載の固定装置。
【請求項２３】
前記レンズの前記端部と前記部品の前記レンズ端部着接部とが、前記レンズと前記部品との間の移動を最小にする部材間係合部を有する請求項２２に記載の固定装置。
【請求項２４】
前記部材間係合部が、雄雌の設計を有する請求項２３に記載の固定装置。
【請求項２５】
前記部材間係合部が、前記レンズの前記端部に形成される突起と、前記部品の前記レンズ端部着接部に形成される対応する窪みと、の形態である請求項２４に記載の固定装置。
【請求項２６】
前記部材間係合部が、前記部品の前記レンズ端部着接部に形成される突起と、前記レンズの前記端部に形成される凹部であって、前記端部から突き出る膨張部間に配置される凹部と、の形態である請求項２４に記載の固定装置。
【請求項２７】
前記固定具の前記部品係合部と前記部品の前記固定具係合部とが、ねじ山により相互に係合可能である請求項１に記載の固定装置。
【請求項２８】
前記固定具が、首部を介して前記固定具に接続される腕部を具備し、前記固定具係合部と前記部品係合部との部材間係合において、前記首部で所定の固定トルクのときに切断されるよう設計される請求項２７に記載の固定装置。
【請求項２９】
前記固定装置が、前記腕部を保持するように構成される工具を更に有する請求項２８に記載の固定装置。
【請求項３０】
前記工具が、前記腕部の少なくとも一部に対して外嵌するように設計されるスリーブを備える請求項２９に記載の固定装置。
【請求項３１】
前記部品が、眼鏡クリップ留めのクリップである請求項１に記載の固定装置。
【請求項３２】
レンズに部品を取り付けるために用いられる固定部材であって、前記レンズは貫通孔を有し、前記部品は、固定具係合部を備えるとともに、部品係合部を有する固定具を介して前記孔にて前記レンズに取り付けられるように構成され、前記部品は更に、前記部品の前記固定具係合部が前記固定具の前記部品係合部に係合するときに、前記孔と着接してその完全な接触を確保する球状部を備える固定部材。
【請求項３３】
前記球状部が、前記部品と非一体の部分である請求項３２に記載の固定部材。
【請求項３４】
請求項１から３３に記載された、部品と、レンズと、固定装置とを備える眼鏡組立体。
【請求項３５】
端部を有するレンズに、Ｌ字状の部品であって、固定具係合部を具備する棚部と、レンズ端部着接部を有する脚部と、を有する部品を組み付けるための固定装置であって、前記レンズの前記端部及び前記部品の前記レンズ端部着接部は、前記レンズと前記部品との間の移動を最小にするための部材間係合部を有する固定装置。
【請求項３６】
前記レンズの前記端部から間隔をあけた位置で、前記レンズに前記部品を取り付けるための手段を更に備える請求項３５に記載の固定装置。
【請求項３７】
前記部材間係合部が、前記位置に隣接する請求項３５に記載の固定装置。
【請求項３８】
前記部材間係合部が、雄雌の設計を有する請求項３５に記載の固定装置。
【請求項３９】
前記部材間係合部が、前記レンズの前記端部に形成される突起と、前記部品の前記レンズ端部着接部に形成される対応する窪みと、の形態である請求項３５に記載の固定装置。
【請求項４０】
前記部材間係合部が、前記部品の前記レンズ端部着接部に形成される突起と、前記レンズの前記端部に形成される凹部であって、前記端部から突き出る膨張部間に配置される凹部と、の形態である請求項３５に記載の固定装置。
【請求項４１】
請求項３５から４０に記載された、部品と、レンズと、を備える眼鏡組立体。
【請求項４２】
貫通する孔を備えるレンズへの部品の組み付けのための固定装置であって、前記固定装置は、前記孔に進入するねじ止め式の固定具と、固定具係合部と、を備え、前記固定具は、前記首部を介して接続しまた前記固定具と前記固定具係合部との間の部材間係合における所定の固定トルクで前記首部にて切断されるように設計された腕部を備える固定装置。
【請求項４３】
前記固定装置が、前記腕部を保持するように構成される工具を更に有する請求項４２に記載の固定装置。
【請求項４４】
前記工具が、前記腕部の少なくとも一部に対して外嵌するように設計されるスリーブを備える請求項４３に記載の固定装置。
【請求項４５】
第１の面と、第２の面と、前記第１の面及び前記第２の面の間を貫通し前記第１の面及び前記第２の面に対して傾斜する縦軸を有する孔と、を有する曲面レンズに取り付けるために設計される部品であって、前記部品は、前記第１の面で前記孔に進入する固定具と部材間係合するように設計される固定具係合部を備え、前記固定具係合部は、前記第２の面で前記孔に進入するように設計され、前記第１の面に垂直な縦軸を有し、前記固定具は、前記部品と前記レンズとを取り付けるときに前記レンズの前記第１の面に沿った向きを与えられる着接部を有する、部品。
【請求項４６】
第１の面と、第２の面と、前記第１の面及び前記第２の面の間を貫通し前記第１の面及び前記第２の面に対して傾斜する縦軸を有する孔と、を有する曲面レンズに取り付けるために設計される部品であって、前記部品は、前記第１の面で前記孔に進入する固定具と部材間係合し且つ前記固定具を前記孔に位置合わせするように設計される固定具係合部を備え、前記部品は、前記第１の面と前記第２の面とにそれぞれ係合可能な第１のレンズ面係合部と第２のレンズ面係合部とを更に有し、前記第１のレンズ面係合部と前記第２のレンズ面係合部とが、前記部品と前記レンズとが取り付けられるときに前記第１の面と前記第２の面とに沿った向きを与えられる、部品。
【請求項４７】
第１の面と、第２の面と、前記第１の面及び前記第２の面の間を貫通し前記第１の面及び前記第２の面に対して傾斜する縦軸を有する孔と、を有する曲面レンズに部品を取り付けるために設計される非ねじ式の固定具であって、前記固定具は、レンズ係合部と部品係合部とを備え、前記レンズ係合部は、前記部品係合部の軸に対して傾斜することで、前記固定具の前記レンズ面係合部が、前記第１の面と前記第２の面とに沿った向きを与えられる、非ねじ式の固定具。
【請求項４８】
第１の面と、第２の面と、前記第１の面及び前記第２の面の間を貫通し前記第１の面及び前記第２の面に対して傾斜する縦軸を有する孔と、を有する曲面レンズに部品を取り付けるように設計されるねじ式の固定具であって、前記部品は固定具係合部を備え、前記固定具は、首部を介して接続される腕部を有する頭部を備え、前記固定具と前記固定具係合部との間の部材間係合における所定の固定トルクで前記首部にて切断されるように設計される、ねじ式の固定具。
【請求項４９】
第１の面と、第２の面と、前記第１の面及び前記第２の面の間を貫通し前記第１の面及び前記第２の面に対して傾斜する縦軸を有する孔と、を有する曲面レンズに取り付けるように設計される部品であって、前記部品は、前記部品が前記レンズに係合するときに、前記孔と着接してその完全な接触を確保する球状部を備える部品。
【請求項５０】
部品が取り付けられるように設計される曲面レンズであって、前記レンズは、端部と、第１の面と、第２の面と、前記第１の面及び前記第２の面の間を貫通し前記第１の面及び前記第２の面に対して傾斜する縦軸を有する孔と、を有し、前記部品は、前記孔で前記レンズに取り付け可能であり、前記レンズは、前記部品との部材間係合のための一つ以上の部品係合部をその端部に備え前記レンズと前記部品との間の移動を最小にする曲面レンズ。
【請求項５１】
端部と、前記端部の部品係合部と、第１の面と、前記第２の面と、前記第１の面及び前記第２の面の間を貫通し前記第１の面及び前記第２の面に対して傾斜する縦軸を有する孔と、を有する曲面レンズに取り付けるように設計される部品であって、前記部品は、前記孔で前記レンズに取り付け可能であり、前記レンズとの部材間係合のために形成されるレンズ係合部を備え前記レンズと前記部品との間の移動を最小にする部品。
【発明の詳細な説明】
【技術分野】
【０００１】
本発明は、レンズに対して部品を組み付けるための固定装置(fastening arrangement)に関する。
【背景技術】
【０００２】
眼鏡や眼鏡のアクセサリ（補助レンズ（auxiliary lenses)等）の組立体（assembly)においては、部品をレンズに接合することが必要である。これらの部品としては、例えば、放射フィルタリングレンズ等の補助レンズに取り付けるクリップ、あるいは、眼鏡レンズに取り付けるつる又は鼻当て部（nose-pieces)、例えば度付き眼鏡又はサングラスのつる又は鼻当て部が、挙げられる。
【０００３】
米国特許第５，８８９，５７４号明細書には、ブリッジによって接合される一対の縁なしの非光学レンズから成る代表的な眼鏡のクリップ留めのアクセサリが開示されており、これらのレンズは、眼鏡のフレームに係合するためにレンズに固定されるクリップを有している。このクリップは、ねじでレンズに取り付けられるものである。
【０００４】
米国特許第６，２３４，６２８号明細書には、クリップ式のサングラスが開示されており、そのレンズは、眼鏡のフレームにクリップ留めを連結するためのＬ字型プラスチック突起部を有するフレーム内にある。
【０００５】
米国特許第５，７２４，１１８号明細書には、眼鏡のフレームにクリップを接続するためにフックが接合又は溶接されるリングに装着されるレンズを有するクリップ留めが記載されている。
【０００６】
米国特許第６，０８９，７０６号明細書には、ワイヤフレームに保持されるレンズを有するクリップ留めが記載されている。ワイヤがフックを貫通し、クリップ留めを眼鏡のフレームに取着する。
【０００７】
米国特許第６，２５４，２３２号明細書には、眼鏡のフレームにクリップをクランプする作用を持つばねバイアス式のクランプアームが記載されている。
【０００８】
米国特許第６，１１６，７３１号明細書には、プラグイン形の突起によるサングラスと光学眼鏡との間の接続が記載されている。米国特許第６，１９６，６７９号明細書には、これと同様の接続がて開示されている。
【０００９】
米国特許第５，６９４，１９２号明細書には、結合クリップが引張糸によってレンズに接合されるタイプのクリップ留めが開示されている。
【００１０】
米国特許第６，２４４，７０４号明細書には、この種のクリップとフィルタレンズとの間の溶接を用いた取り付けが記載されている。
【発明の開示】
【００１１】
本発明は、概して、眼鏡組立体と、その組み付けのための固定装置と、に関する。この固定装置は、例えば、本出願人の米国特許第６，６０７，２７０号明細書に記載されるように、例えばクリップ等の部品をレンズに組み付けるために用いられるものである。
【００１２】
ここで用いる「レンズ」の語は、度付き（処方）眼鏡レンズ及び非処方眼鏡レンズ（例えば、安全レンズ、サングラスレンズ等）の他に、補助レンズを含むあらゆるレンズ（例えばサングラスクリップ留め等の眼鏡クリップアクセサリ、あるいは、光学レンズの前面に配置したときにこの光学レンズとの組み合わせにより視力矯正のために複合レンズを形成するような光学的性質を有するレンズ等）のことを指すものとする。
【００１３】
本発明は、度付き眼鏡に通常クリップして使用するサングラスレンズ等の補助レンズに対して、クリップ留めアクセサリのクリップ部品を固定する用途に対して、特に有用である。したがって、例えばフレームレスの眼鏡やサングラスの光学レンズに取り付けるつる又は鼻当て部等の他の部材に関しても説明は可能であるが、本発明は主に、この用途に関して説明することとする。
【００１４】
本発明の一つの態様によれば、曲面レンズのために用いられる固定装置が提供され、前記レンズは、第１の面と、第２の面と、前記第１の面及び前記第２の面の間を貫通し前記第１の面及び前記第２の面に対して傾斜する縦軸を有する孔と、を有し、前記固定装置は、前記レンズの前記第１の面にて前記レンズに部品を取り付けるための固定装置であり、前記固定装置は、前記レンズの前記第２の面に係合するように構成されるレンズ面係合部（lens-face engaging portion）と、前記第２の面で前記孔に進入する部品係合部（component engaging portion）と、を有する固定具（fastener）を備え、また、前記固定具の前記部品係合部に係合するように構成される固定具係合部（fastener engaging portion）を更に前記部品内に備え、前記部品と前記曲面レンズとが組み付けられるときに前記レンズ面係合部が前記第２の面に沿った向きを与えられるよう、前記レンズ面係合部と、前記部品係合部と、前記固定具係合部と、が設計される。また、このような固定装置を備えている眼鏡組立体が提供される。
【００１５】
本発明の一実施の形態によれば、前記固定具の前記部品係合部と前記部品の前記固定具係合部とは、ねじ山が形成されておらず、前記レンズ面係合部は、その部品係合部に対して傾いている。この場合、前記固定具は、頭部と胴体部とを有するピンであってもよく、また前記頭部は傾斜する底面を有している。あるいは、前記固定具は、前記頭部と一体型又は非一体型の楔状部を有してもよい。
【００１６】
本発明の他の実施の形態によれば、前記固定具の前記レンズ面係合部は、その部品係合部に対して傾斜しておらず、むしろ、前記部品の前記固定具係合部が、前記孔の前記軸に対して、その軸がレンズの対応する面への垂線となるように、傾斜する。この場合、前記固定具はねじ山を形成されていてもよいし、ねじ山を形成されていなくてもよい。
【００１７】
本発明のさらに他の実施の形態によれば、前記固定装置は、その底面が前記固定具の前記レンズ面係合部を構成するディスケット又はリングを備える。前記リングは、前記固定具を前記孔に位置合わせするように構成され、また、そのレンズ面係合部とともにレンズ面に着接するように構成される。このリングは、前記部品と一体で形成されてもよく、又は別個の部材として形成されてもよい。
【００１８】
さらに、本発明のさらなる実施の形態によれば、前記部品の前記固定具係合部が前記固定具の前記部品係合部に係合するときに、前記孔と着説してその完全な接触を確保する球状部を有するレンズ着説面を、前記部品が備える固定装置が提供される。
【００１９】
前記固定具の前記レンズ面係合部が前記レンズの対応面と位置合わせする本発明の装置は、以下の複数の利点を有している。
【００２０】
−  組み付け中にレンズに作用する応力が、最小になる。
−  別々の部品を容易にレンズに取り付けることができる。
−  レンズ面が曲面の場合でも、取り付けられるべきレンズの面に部品を結合することができる。
−  組立体がゆるんだり、バラバラになる可能性が低減される。
−  このクリップとレンズを、比較的低い費用で大量生産することができる。
【００２１】
本発明の他の態様によれば、部品をレンズに組み付けるための固定具を含む固定具が提供され、前記レンズは、端部（edge）を有し、前記部品は、Ｌ字形状であり、固定具係合部を具備する棚部（ledge）と、レンズ端部着接部（lens-edge interfacing portion）を有する脚部と、を有し、前記レンズの前記端部及び前記部品の前記レンズ端部着接部は、前記レンズと前記部品との間の移動を最小にするための部材間係合部（inter-engaging parts）を有する。
【００２２】
通常、この部材間係合部は前記レンズの前記端部の外側にあるので、着用者の視野や、クリップ留めとレンズの美的な長所は、クリップと部材間係合部の存在に影響を受けない。
【００２３】
本発明の他の態様によれば、レンズに部品を取り付けるために用いられる固定部材（fastening member）が提供され、前記レンズは貫通孔を有し、前記部品は、固定具係合部を備え、部品係合部を有する固定具を介して孔にて前記レンズに取り付けられるように構成され、前記部品は更に、前記部品の前記固定具係合部が前記固定具の前記部品係合部に係合するときに、前記孔と着接してその完全な接触を確保する球状部を備える。
【００２４】
この固定装置に、ねじ式の固定具を用いる場合、レンズ材料とクリップへの過多なストレスを避けつつ、組立体を確実に保持する程度にしっかりとねじを締めることが非常に重要である。
【００２５】
したがって、本発明のさらなる態様によれば、部品のレンズへの組付けのための固定装置は、内部を貫通する孔を備え、前記固定装置は、前記孔に進入するねじ式の固定具と留め具係合部とを備え、前記固定具は、首部を介して前記固定具に接続し且つ前記固定具と前記固定具係合部との間の部材間係合における所定の固定トルク（predetermined fastening torque）で、前記首部で切断されるように設計された腕部を備えている。
【００２６】
本発明の一実施の形態によれば、この装置は、適切な固定トルクの使用による組付けの平易化及び信頼性のため、腕部に係合されるように構成される工具を更に含んでもよい。
【００２７】
本発明の理解のため、また実際の実施方法の理解のため、添付の図面を参照して実施の形態を説明するが、これは限定を伴わない例示である。
【発明を実施するための最良の形態】
【００２８】
参照することによりここに包含される本出願人の米国特許第６，６０７，２７０号明細書には、本発明の全ての実施の形態に従った固定装置を有利に用いることができるクリップ留めが記載されている。したがって、ここではクリップ留めについて詳細に説明せず、レンズに対する部品、特にクリップの固定装置の実施の形態の説明に力点を置くものとする。上述の通り、これと同じ構成を、補助レンズ以外のレンズ及びクリップ以外の部品に対して適用してもよい。
【００２９】
次に図１を参照し、先行技術の固定装置を、この固定装置で生じる問題の一つを例示しつつ示す。図１では、レンズ１０は、内側面１２と、外側面１４と、端部１５と、通常はレンズの端部の少し内側に形成される孔１６と、を有するように図示されている。面１２及び面１４は、曲面である。部品１８は、孔１６内に挿入されるねじ１７と、ねじに担持されるナット１９と、により、レンズの外側面１４に取り付けられる。孔１６は、レンズの各面に対しての方向を規定する縦軸Ｌ１を有している。孔の位置でレンズの内側面１２に対して垂直（normal）な軸Ｌ２に対し、軸Ｌ１が傾斜するように、孔１６を形成してもよく、又は、レンズの内側面１２に垂直でもよく、この中では、前者の設計の方が、曲面レンズに対してより一般的であり、それは、以下に詳細に説明するレンズ生産の従来の方法による。
【００３０】
レンズへの孔の穿孔は、いわゆる「放射（radial）」法と「平行（parallel）」法の２つの方法のうちの１つにより通常実行される。
【００３１】
「放射」法は、あまり一般的ではなく、レンズの曲率によって規定される円の中心に位置する仮想点を通る方向に、穴部（孔）をレンズにあける操作を伴うものであり、つまり、穿孔操作が、この中心点から放射状に拡がっていく。換言すれば、穿孔操作は、レンズの面に垂直に行われ、すなわち、穿孔の位置での面に対する接平面に対して垂直に行われる。この方法は、垂直の方向にレンズを保持することに関連して複雑なものとなっており、それは、レンズの形状により、また仮想点の中心に対する穴部の位置により、穴部ごとに異なる場合があるからである。
【００３２】
より一般的で便利な方法は「平行穿孔」と呼ばれる方法であり、この方法では、レンズがいわゆる「水平位置」に保持され、ドリルの刃先が垂直にレンズに導入される。この「平行法」は、ローコストである点と簡潔である点とから、レンズに穴部または孔をあける実行方法として一般的な方法である。「平行方法」を用いてレンズに複数の孔をあける場合、できた孔は互いに平行であり、曲面レンズの面に対して垂直ではない。
【００３３】
図１に戻り、レンズ１０及び部品１８を、傾斜する孔１６にてねじ１７及びナット１９により組み付ける場合、過度な力がレンズ１０の内側面１２の点Ｓ１及び外側面１４の点Ｓ２で作用し、また部品の点Ｓ３にも同様に作用する。この力が非常に小さい領域に作用するので、作用する力に起因する応力（stress）が非常に高くなる場合がある。堅い材料、例えばガラスや熱可塑性ポリマー等に大きい応力が作用すれば、内部応力が発生し、ひびやクラックが発生することがある。この現象は「応力集中」と通常呼ばれており、この技術分野の開発者等には周知である。
【００３４】
さらに、上記の固定装置では、ねじ１７とナット１９を早めに緩めることになる場合もあり、この場合、ねじとナットの結合の接触不良や分離が生じてしまう。
【００３５】
図２Ａは、眼鏡組立体と、眼鏡組立体の組付けのための固定装置の第１の実施の形態を示し、この固定装置は、部品、例えばクリップを曲面レンズへ固定する際に発生し得る応力集中を最小にするように設計される。曲面レンズ１０は、傾斜する孔１６を備え、これは上述のレンズ生産では一般的であり、また孔は、縦軸Ｌ１を有している。クリップ２０の形態である部品は、レンズ１０の面１４に固定するために位置合わせされ、このクリップは、脚部２２と棚部２４とによるＬ字形状を有している。棚部２４は、傾斜する孔１６に対応して傾斜するプラグ２６を具備している。プラグ２６は、孔１６と同軸のクリップの固定具係合部を構成する空洞部２８を有している。
【００３６】
孔１６と空洞部２８の傾斜は、これらの縦軸Ｌ１と、レンズ１０の面１２及び面１４に垂直な軸Ｌ２の間の角Ａ１によって規定される。面１２及び面１４が曲面であるので、軸Ｌ２は、孔１６の領域でのみこれらの面に垂直であることが理解されるべきである。
【００３７】
棚部２４は通常、レンズ１０の曲線に対応するわずかな曲線を有しており、これは、レンズの穿孔された点でのレンズの接線である破線Ｔにより明示される。
【００３８】
更に図２Ａには、底面３４がレンズ面係合部を構成する頭部３２を有するピン３０の形態の固定具と、胴体部３６の形態の部品係合部と、が示されている。頭部３２は、その底面３４に垂直で且つレンズ面の垂直軸Ｌ２に平行である軸Ｌ３を有している。胴体部３６は、空洞部２８の軸Ｌ１に対して平行な縦軸Ｌ４を有している。
【００３９】
角Ａ１によって表される傾斜を補償するため、頭部３２は胴体部３６に対して、角Ａ１と等しい角Ａ２で傾斜する。このように、ピン３０が対応して空洞部２８に係合すれば、頭部３２は、内側面１２に着接し、この面に沿った向きが与えられる。この係合により、レンズ１０に大きな応力が作用する可能性が低減されるが、これは、頭部３２の平らな底面３４がレンズの内側面１２と基本的に平行だからである。
【００４０】
ピン３０の頭部３２は、六角形状等の構成が握持のためには有利であるが、どんな形状でもよい。プラグ２６と胴体部３６は通常、胴体部が雄雌の関係で空洞部２８においてスナップ係合するように、共通に設計される。
【００４１】
プラグ２６を、クリップの棚部２４と一体的に形成することで、ナット（先行技術の図１のナット１９等）の必要性を排除することに注意すべきである。
【００４２】
図２Ｂは、図２Ａの実施の形態の雄雌の関係を入れ換えた変形例を例示する。このように、この変形例では、部品はクリップ２０ａの形態であり、このクリップ２０ａは、頭部３２ａを有する雌ピン３０ａの形態の固定具に対応する空洞部２８ａを有する雄プラグ２６ａを有する棚部２４ａを備え、この頭部３２ａは、底面３４ａの形態のレンズ面係合部を有し、また部品係合部は、胴体部３６ａの形態であり、この胴体部は典型的には円筒状であり、適切な形状が与えられた中空部３７を有している。この固定装置の他の部品及び原理は、図２Ａに示されているものに類似している。
【００４３】
傾斜するピンの頭部全体に代えて、楔状部３９を備える別の形状を有する頭部３２’を有するピン３０’としてもよく、この構成により、図２Ｃに示すように、レンズの内側面１２に沿った向きを底面３４’に与えることができることを、理解すべきである。
【００４４】
図３は、レンズ内の応力集中を最小にするための、クリップをレンズに固定する本発明の別の実施の形態を例示し、ここでは、標準の構成による固定具が用いられる。この実施の形態では、ねじ、ボルト、リベット、その他の形態の固定具が、ピンと同様に適している。
【００４５】
図２Ａの実施の形態と図３の実施の形態との間の相違は、主に下記の点である。クリップ２０ｂの形態の部品が存在し、この部品は、空洞部２８ｂが、軸Ｌ２と平行になるようプラグ及び孔１６の軸Ｌ１に対して傾斜する縦軸Ｌ５を有するプラグ２６ｂを有し、空洞部２８ｂは、ねじ３０ｂ（ピン、ボルト、リベット、その他を、必要な変更を加えて用いてもよい）の形態の固定具を受けるように構成される。プラグ２６ｂ及び孔１６の縦軸Ｌ１に対する空洞部の縦軸Ｌ５の傾斜（角Ａ３）は、軸Ｌ１と、内側面１２に垂直な軸Ｌ２との間の傾斜（角Ａ１）を補償する。
【００４６】
このように、ねじ３０ｂは、部品係合部を構成する胴体部３６ａ、底面３４ｂの形態のレンズ面係合部を有する頭部３２ｂを構成する胴体部３６ｂと、を有し、底面がその内側面１２に沿った向きを与えられるように、レンズ１０に着接する。
【００４７】
図４Ａ〜図４Ｃは、関連する性質を有する眼鏡組立体及び固定装置の他の実施の形態を例示する。図４Ａは、固定具がディスケット又はリング４０の形態のレンズ面係合部材を備える固定装置に関する。ここでは、リング４０は、楔形の断面を有することが図示され、この楔形の断面は、作用する応力を最小にしつつ、クリップ２０ｃの形態の部品をレンズ１０に組み付けるのを容易にする。
【００４８】
リング４０は、レンズの内側面１２にスムーズに着接するよう形成される下面４２を有している。また、リング４０は、ねじ頭部の底面３４ｂに対応し固定の際にこの底面３４ｂに着接する環状の肩部４４を有している。肩部４４には通常、ねじ頭部３２ｂの高さｈより深い深さＤを有する凹部が形成されるが、これは美観的な理由だけでなく、ねじ３０ｂが、材料にあるいは着用者や組立作業員に引っかかるのを妨げるということにも関連する。
【００４９】
この装置では、クリップ２０ｃは、空洞部２８ｃを有するプラグ２６ｃを備える棚部２４ｃを備え、この空洞部２８ｃは、プラグと同軸であり、またクリップ２０ｃの固定具係合部を構成する。固定具は、前述のように、標準のねじとしてもよく、様々なタイプの固定具を用いることができる。
【００５０】
リング４０を内包することで、固定装置は、ねじ頭部３２ｂが、胴体部３６ｂ及び空洞部２８ｃの軸と一致する軸Ｌ４を有するようになる。さらに、ねじ頭部３２ｂ及び胴体部３６ｂが（レンズ面１２、１４に対して垂直な）軸Ｌ２に対して傾斜した場合においても、固定している間、レンズ１０には基本的に均等な力が作用し、このため、これに作用する応力が最小になる。さらに、リング４０の表面積が、その下面４２にて、ねじ頭部の底面３４ｂよりも大きいため、レンズ１０上の圧力は、さらに低減される。
【００５１】
リング４０は、また、クリップ２０ｃの脚部２２に着接するように設計された突起４６を備えることで、適切な位置合わせを容易にし、固定の間の回転を防止することができる。突起４６は通常、脚部２２の外側面に着接し、このため本来は断面図中には現れないが、説明の目的のため、断面の面内にあるように示される。この突起４６の形態及び代表的な位置は、貫通孔４９を含んでその形状をさらに例示するリング４０の平面図である図４Ｂから良く理解できるだろう。突起４６に隣接する部分は、略平坦な部分４８であり、これは、クリップ２０ｃの脚部２２に対応する部分の上に静置される。またこの着接面は、リング４０の適切な位置決めと回転の抑制を促進する。リング４０は、ねじ３０ｂの挿入を容易にするような形状が与えられ、このため、その肩部４４より上に略漏斗形の凹部を有する態様が例示され、またこのリングはねじの位置合わせを容易にする。
【００５２】
図４Ｃは、図４Ａの実施の形態の変形例を示し、ここでは部品が、リング４０’が一体的に取り付けられる脚部２２ａを備えるクリップ２０ｄの形態で与えられている。リング４０’は、図４Ａのリング４０と同じ機能を提供するが、突起４６は有しない。ここで、リング４０’は楔形の形状ではない点に注目すべきである。ともかく、その下面４２は、まだ内側面１２に対応しており、肩部４４は固定具に対して適正な位置をとっている。
【００５３】
リング４０’はクリップの脚部２２ａと一体であるため、相対移動（滑動や回転）ができず、レンズの内側面１２に適正に嵌合し、また、その貫通孔４９は、適正な製造工程により、孔１６と適正に位置合わせされる。
【００５４】
図５は、クリップ対レンズ固定装置のさらに別の実施の形態を例示し、部品が、球状部５０を備えるプラグ２６ｅを有する棚部２４ｅを有するクリップ２０ｆの形態で与えられる。球状部５０は、レンズの外側面１４において孔１６に着接する。破線５１により、部品２０ｆ及び球状部５０が一体ではない場合を例示するが、これらは一体で形成されてもよい。さらに、球状部５０は、球の一部（例えば半球）のみの形態であってもよい。但しこの場合は、球の部分が孔１６と着接することを条件とする。
【００５５】
また、レンズ係合部は、レンズ１０に着接するように設計されたＬ字状の突起４６’を有するリング４０’であってもよいことが注意されるべきである。
【００５６】
このように、レンズ１０の曲率のために、孔１６の端部がわずかに楕円形状である場合においても、球状部５０の形状により、均等な接触が孔に与えられる。
【００５７】
図６は、さらに別の実施の形態を例示し、ここでは、固定装置が、固定具位置合わせ部５２を備える棚部２４ｇを有するクリップ２０ｇの形態の部品を備え、この固定具位置合わせ部５２は、レンズの内側面１２と平行となる向きを与えられ、軸Ｌ２に対して垂直である。この部分５２は、一体の固定具係合部を有することで、対応する固定具に適合するようねじ山が形成されている。
【００５８】
これに代えて、又はこれに加えて、固定具位置合わせ部５２は、面５４を備え、またナット５６の形態の固定具係合部を受けるように構成される。ナット５６は、固定具すなわちねじ３０ｂと位置合わせされるよう、またナット５６の向きを与えるよう、面５４に着接されることで、ねじの底面３４ｂにレンズの内側面１２に沿った向きが与えられる。この固定具位置合わせ部５２は、棚部２４ｇの外側端部によって構成してもよく、または、ナット５６が棚部から突き出ないよう、凹部を有していてもよい。ここで、固定具係合部は、ナット５６のねじ山部５８の形態であることが注意されるべきである。
【００５９】
図７Ａ〜図７Ｃは、眼鏡組立体及び固定装置が、運動、特にクリップとレンズとの間の回転運動に対して、組立体をさらに安定させるように設計される、本発明の追加的な実施の形態を例示する。ここで記載されるものに限らず、これらの実施の形態では、あらゆる従来の固定装置を用いることができる。
【００６０】
図７Ａ及び図７Ｂはこれらの実施の形態のうち、クリップ２０ｈ及びレンズ１０’の形態による部品が部材間係合部を備える一つの例を示す。例示目的のみのため、この実施の形態は、図４Ａの実施の形態と組み合わせて示されるが、図７Ａ〜図７Ｃの全ての実施の形態は、ここに記載されたあらゆる実施の形態と組み合わせて用いることができる。
【００６１】
クリップ２０ｈは、窪み６２を有する脚部２２ｂを有し、またレンズ１０’は、通常はそれと一体の部品である突起６０を備え、この突起は、クリップの窪みと相互係合して孔の軸Ｌ１に対するクリップとレンズとの間での回転を防止するように設計される。
【００６２】
図７Ｂは、部材間の係合を見やすくするため、線Ａ−Ａに沿った図７Ａの断面を提供する。
【００６３】
矢印Ｒによって示される潜在的な回転に貢献する理由の一つは、固定がレンズ１０中の一点、すなわち孔１６でなされることである。もう一つの理由は、クリップやレンズを形成する材料の弾性のためであり、これは、組立体のゆるみを引き起す場合がある。
【００６４】
この回転を防止するためのまた他の実施の形態が図７Ｃに示され、これは上記と類似した概念を用いている。しかしながら、ここでレンズ１０''は、脚部２２と適合する凹部７０を備える。凹部７０は、レンズ１０''の端部の輪郭における膨張部７２によって形成され規定される。このように、レンズ１０''の部材間係合部及びクリップ２０ｇにより、回転が再び防止され、また膨張部７２がレンズの通常領域の外側にあるので、クリップの脚部２２は、視野を妨害しない。
【００６５】
上述のレンズの構成は、本出願人の米国特許第６，６０７，２７０号明細書に開示される、デジタル形式でレンズの輪郭を得る製造工程を利用するマシンによって製造される。レンズの輪郭及びその数的表現を、上述の構成を有するように変形することができ、あるいは、たとえば求められる美的効果を実現するため、別の変形を輪郭に施してもよい。次いで、ブランクからレンズを作り上げるためのフライス盤に、最終の輪郭を入力することができる。
【００６６】
本発明のまた別の追加的な実施の形態を、図８（ａ）を参照して説明するが、ここでは、固定装置は、腕部８０が取り付けられた頭部３２ｄを有するねじ３０ｄの形態の固定具を備えている。
【００６７】
腕部８０は、ねじ３０ｄに作用するトルクの作用及び制御のために用いられ、また、通常は首部８２によってねじの頭部３２ｄの中央に接続する首部８２は所定のトルクで破壊する（fail）ように設計されており、その際、腕部８０はねじ３０ｄから取り外され、このように、所定のトルクが作用することになる。
【００６８】
腕部８０は、それぞれ、レンチまたはねじ回し等のトルクを作用させるための工具（図８（ｂ））と係合するための、縦方向の平坦な区間８４および／またはスロット８６を備えることが好ましい。この工具９０は、腕部８０による係合のために構成され、スリーブ９２と、係合部９４と、グリップ９６と、を備えるように図示されている。
【００６９】
スリーブ９２は腕部８０に外嵌してこれを保持することで、ねじ３０ｄを保持し、よって、腕部をねじ頭部３２ｄから取り外す際にこれを保持できるようにする。スリーブは、さらにトルクを与えた際に工具９０が滑落することを妨げるに役立つ。
【００７０】
係合部９４は、スロット８６と係合するように設計されている。これに代えて、あるいはこれに加えて、スリーブ９２は、腕部８０の平坦な部分８４に対応するように構成される内側面９８を有していてもよい。さらに、使い易さのために、スリーブ９２は、腕部８０への係合と位置取りを容易にするため、ラッパ状に広がっていてもよい。
【００７１】
ここに記載した工具と腕部の構成は、様々な固定具及び固定の用途、特に所定のトルクが求められる用途に適用できるが、腕部８０があることで小物部品のハンドリング性や組み付けが容易になり、またレンズを偶然に傷つける（例えばスクラッチング）ことを不可欠的に防止できることから、特に上記の用途に対して有用である。
【００７２】
さらに、この装置は、特に熟練作業者を要することなく、固定具の迅速、正確かつ信頼性の高い固定操作を可能にし、また、組立作業者により作用する力に関係なく、偶然に固定具の締め付けが所定のトルクより高くなることが防止される。
【００７３】
本発明が前記に記載された典型的な具体例で示された事項に限定されないことは、当業者に理解されよう。このように、固定具組立体及びその固定装置は、必要な変更を加えることで、本発明の範囲内で様々な態様に具体化することが可能である。
【図面の簡単な説明】
【００７４】
【図１】レンズに部品を取り付けるための従来装置の図解である。
【図２Ａ】本発明の一実施の形態に係る、傾斜するレンズ面係合部において固定具を備える、レンズに部品を取り付けるための固定装置の断面図である。
【図２Ｂ】図２Ａの実施の形態における固定装置の変形例の断面図である。
【図２Ｃ】図２Ａの実施の形態における固定装置の別の変形例の断面図である。
【図３】本発明の他の実施の形態に係る、部品が傾斜する固定具係合部を有する固定装置の断面図である。
【図４Ａ】本発明のさらに他の実施の形態に係る、リング状のレンズ面係合部を備える固定装置の断面図である。
【図４Ｂ】図４Ａのリングの平面図である。
【図４Ｃ】図４Ａの実施の形態のリングが部品と一体的に形成される変形例の断面図である。
【図５】本発明のさらに他の実施の形態に係る、部品がレンズに着接する球面部を備える固定装置の断面図である。
【図６】本発明のさらに他の実施の形態に係る固定装置の断面図である。
【図７Ａ】本発明のさらに他の実施の形態に係る、レンズ及び部品が回転防止のための部材間係合部を更に有する固定装置の断面図である。
【図７Ｂ】線Ａ−Ａに沿った図７Ａの断面図である。
【図７Ｃ】図７Ａの実施の形態の変形例を例示する断面図である。
【図８】固定具が、固定を容易にし、制御するための腕部を内包し、また腕部は、腕部を係合するための工具に関連づけられている、本発明の固定装置のさらに他の実施の形態を例示する図である。
【図１】
2006509236.tif 000003
【図２Ａ】
2006509236.tif 000004
【図２Ｂ】
2006509236.tif 000005
【図２Ｃ】
2006509236.tif 000006
【図３】
2006509236.tif 000007
【図４Ａ】
2006509236.tif 000008
【図４Ｂ】
2006509236.tif 000009
【図４Ｃ】
2006509236.tif 000010
【図５】
2006509236.tif 000011
【図６】
2006509236.tif 000012
【図７Ａ】
2006509236.tif 000013
【図７Ｂ】
2006509236.tif 000014
【図７Ｃ】
2006509236.tif 000015
【図８】
2006509236.tif 000016
【国際調査報告】
2006509236.tif 000017
2006509236.tif 000018
2006509236.tif 000019